(57)【要約】【課題】風などにより軒樋に作用する外力による折板屋根への負荷を軽減でき、しかも軒樋吊具に簡単に装着できる軒樋吊具用補強部材を提供する。【解決手段】本発明の軒樋吊具用補強部材は一対の樹脂製分割部材１４，１４によって構成され、各分割部材１４，１４には接合部Ｐを有する山板部１１ａ両側の各谷板部１１ｂ下端面にそれぞれ当接する一対の平板部１４Ａａ，１４Ａｂと、一対の分割部材１４，１４を結合することにより吊り下げボルト１３Ｂａを両側から狭持するボルト保持部１４Ｂと、一対の平板部１４Ａａ，１４Ａｂ間に設けられかつボルト保持部１４Ｂを支持する支持部１４Ｃとがそれぞれ一体に設けられて、各一対の平板部１４Ａａ，１４Ａｂを各谷板部１１ｂ下端面にそれぞれ当接させた状態で一対の分割部材１４，１４を結合すると共に吊り下げボルト１３Ｂａに固定することにより軒樋吊具１３を接合部Ｐより下方で支持する。【選択図】図２
2010007252.tif 000002
【特許請求の範囲】
【請求項１】
山板部と該山板部の下方に位置する谷板部とを繰り返し交互に有する折板屋根と、
前記山板部軒先側端部の接合部に固定された長尺の吊り下げボルトと該吊り下げボルトの下端部に接合され軒樋を固定する吊具本体とを有する軒樋吊具と、
が設けられ、
前記折板屋根と前記軒樋吊具とに介在して前記接合部での接合を補強する軒樋吊具用補強部材であって、
一対の樹脂製分割部材によって構成され、
該各分割部材には、
前記接合部を有する山板部両側の各谷板部下端面にそれぞれ当接する一対の当接板部と、
前記一対の分割部材を結合することにより前記吊り下げボルトを両側から狭持するボルト保持部と、
前記一対の当接板部間に設けられかつ前記ボルト保持部を支持する支持部と、
がそれぞれ一体に設けられて、
前記各一対の当接板部を前記各谷板部下端面にそれぞれ当接させた状態で前記一対の分割部材を結合すると共に前記吊り下げボルトに固定することにより前記軒樋吊具を前記接合部より下方で支持することを特徴とする軒樋吊具用補強部材。
【発明の詳細な説明】
【技術分野】
【０００１】
折板屋根と軒樋吊具との接合を補強するための軒樋吊具用補強部材に関する。
【背景技術】
【０００２】
従来から、折板屋根と軒樋吊具との接合を補強するための軒樋吊具用補強部材が知られている（特許文献１等参照）。
【０００３】
図１（ａ）において、符号１は建物に設けられた折板屋根、符号２は軒樋、符号３は軒樋吊具、符号４は本従来例の軒樋吊具用補強部材である。
【０００４】
折板屋根１は、山板部１ａと、山板部１ａの下方に位置する谷板部１ｂと、山板部１ａと谷板部１ｂとの間に延びる傾斜板部１ｃとを複数有しており、軒先側から見て山形と谷形とを交互に繰り返す形状を呈している。
【０００５】
折板屋根１は、山板部１ａと、谷板部１ｂと、傾斜板部１ｃとを鋼板を折り曲げることによって形成して、このような鋼板を複数連結することにより形成されている。
【０００６】
図１（ｂ）に示すように、軒樋吊具３は、軒樋２の一対の耳部２ａ，２ｂを保持する吊具本体３Ａと、長尺の吊り下げボルト３Ｂａ、ナット３Ｂｂ、ワッシャ３Ｂｃ、鍋型ワッシャ３Ｂｄ、フェルトワッシャ３Ｂｅからなる接合部材３Ｂとによって構成されている。
【０００７】
吊具本体３Ａは吊り下げボルト３Ｂａの下端部に接合されており、両端部に軒樋２の一対の耳部２ａ，２ｂを保持するための一対の保持部３Ａｂ，３Ａｃをそれぞれ有している。
【０００８】
本従来例の補強部材４は、略Ｌ字形状の上側部材４Ａと、略Ｌ字形状の下側部材４Ｂとによって構成されている。
【０００９】
上側部材４Ａには吊り下げボルト３Ｂａ挿通用の穴と、下側部材４Ｂとの連結用ネジ穴とが設けられており、下側部材４Ｂには上側部材４Ａとの連結用ネジ穴と、吊具本体３Ａとの接合用ネジ穴とが設けられている。なお、これらの穴は図示が省略されている。
【００１０】
山板部１ａの軒先側端部には、軒樋吊具３を固定するための穴（図示省略）が数カ所おきに形成されている。
【００１１】
軒樋２の取り付け施工の際には、吊具本体３Ａが取り付けられた吊り下げボルト３Ｂａの上端部を山板部１ａの穴にそれぞれ下側から貫通させ、上側部材４Ａを各吊り下げボルト３Ｂａに山板部１ａの上側から挿通させて、上側部材４Ａと山板部１ａとを上下から挟むように吊り下げボルト３Ｂａに取り付けた一対のナット３Ｂｂ，３Ｂｂにより、鍋型ワッシャ３Ｂｄとフェルトワッシャ３Ｂｅとを介して上下から締め付ける。
【００１２】
このように、吊り下げボルト３Ｂａを山板部１ａに接合している接合部を接合部Ｐとする。
【００１３】
接合部Ｐでの接合により、吊り下げボルト３Ｂａが山板部１ａに固定されると共に補強部材４の上側部材４Ａが山板部１ａに固定される。
【００１４】
そして、上側部材４Ａと、吊具本体３Ａに取り付けた下側部材４Ｂとをネジとナットとによって接合する。
【００１５】
このように、折板屋根１の山板部１ａと吊具本体３Ａとに補強部材４を装着することによって折板屋根１と軒樋吊具３との接合が補強される。
【００１６】
そして、軒樋２の耳部２ａ，２ｂをそれぞれ軒樋吊具３の保持部３Ａｂ，３Ａｃに嵌合させることにより折板屋根１の軒先部に軒樋２が固定される。
【特許文献１】特開２００１−２９５４３４号公報
【発明の開示】
【発明が解決しようとする課題】
【００１７】
ところで、仮に従来例の補強部材４を使用しない場合には、軒樋２を装着した軒樋吊具３は接合部Ｐだけで支持される。
【００１８】
この場合に軒樋２に強風が吹き付けると、接合された軒樋２と軒樋吊具３との全体に、接合部Ｐを回転軸とする力のモーメントが作用する。
【００１９】
一般に、接合部Ｐのナット３Ｂｂや鍋型ワッシャ３Ｂｄなどの接合部材のおおよその径ｄは、接合部Ｐから軒樋２までの距離ｈに比べて小さいので、風により軒樋２に作用する外力Ｆによって生じる力は接合部Ｐの近傍では梃子の原理により増大して接合部Ｐ近傍に大きな曲げ応力を生じさせる。このため、山板部１ａの鋼材が接合部Ｐの近傍で破損するおそれがあった。
【００２０】
また、従来例の補強部材４を使用した場合には、図１（ｂ）に示すように、山板部１ａと補強部材４との当接部のおおよその長さＬが、ナット３Ｂｂや鍋型ワッシャ３Ｂｄなどの接合部材のおおよその径ｄに比べて長いので、接合部Ｐ近傍への応力集中は補強部材４を使用しない場合より緩和される。
【００２１】
ところで、折板屋根１の谷板部１ｂを伝わって流れる雨水を軒樋２に取り込むために、軒樋２の軒先側上端部Ｅ１は一般に谷板部１ｂの軒先側端縁Ｅ２より軒先側に迫り出している必要があるので、上述の長さＬは軒樋２の幅ｗよりは短く制限される。
【００２２】
したがって、長さＬは接合部Ｐから軒樋２までの距離ｈに比べて一般に短くなるので、外力Ｆにより生じる力はやはり接合部Ｐの近傍で増大して、この接合部Ｐの近傍に大きな曲げ応力を生じさせる。
【００２３】
このため、従来例の補強部材４を使用しても、接合部Ｐと山板部１ａの軒先側端縁との間に、この曲げ応力が作用して、山板部１ａの鋼材が山板部１ａと補強部材４との当接部近傍で破損するおそれがあった。
【００２４】
また、上述したように、従来例の補強部材４は上側部材４Ａの穴を吊り下げボルト３Ｂａに挿通した状態で吊り下げボルト３Ｂａに固定されるので、軒樋吊具３の取り付けと共に取り付けを行う必要があった。
【００２５】
したがって、既設の軒樋吊具３については、一旦、接合部Ｐのナット３Ｂｂ，鍋型ワッシャ３Ｂｄ，フェルトワッシャ３Ｂｅを取り外す必要があり、取り付け施工に手間が掛かるという問題があった。
【００２６】
そこで、本発明では、風などにより軒樋に作用する外力による折板屋根への負荷を軽減でき、しかも軒樋吊具に簡単に装着できる軒樋吊具用補強部材を提供することを目的としている。
【課題を解決するための手段】
【００２７】
上記目的を達成するために請求項１に記載されたものは、山板部と該山板部の下方に位置する谷板部とを繰り返し交互に有する折板屋根と、前記山板部軒先側端部の接合部に固定された長尺の吊り下げボルトと該吊り下げボルトの下端部に接合され軒樋を固定する吊具本体とを有する軒樋吊具と、が設けられ、前記折板屋根と前記軒樋吊具とに介在して前記接合部での接合を補強する軒樋吊具用補強部材であって、一対の樹脂製分割部材によって構成され、該各分割部材には、前記接合部を有する山板部両側の各谷板部下端面にそれぞれ当接する一対の当接板部と、前記一対の分割部材を結合することにより前記吊り下げボルトを両側から狭持するボルト保持部と、前記一対の当接板部間に設けられかつ前記ボルト保持部を支持する支持部と、がそれぞれ一体に設けられて、前記各一対の当接板部を前記各谷板部下端面にそれぞれ当接させた状態で前記一対の分割部材を結合すると共に前記吊り下げボルトに固定することにより前記軒樋吊具を前記接合部より下方で支持する軒樋吊具用補強部材を特徴としている。
【発明の効果】
【００２８】
本発明の請求項１に記載されたものでは、各一対の当接板部を各谷板部下端面にそれぞれ当接させた状態で一対の分割部材を結合すると共に吊り下げボルトに固定することにより軒樋吊具を前記接合部より下方で支持するため、風などにより軒樋に作用する外力による力のモーメントの軸位置が下方に下がり、等しい外力が軒樋に加わった場合であっても、装着前に比べて軒樋と軒樋吊具とに作用する力のモーメントが減少し、しかも接合部に集中していた力が各谷板部の下端面にも分散されるので、外力による折板屋根への負荷を軽減させることができる。
【００２９】
また、折板屋根の山板部と谷板部との高さ方向の距離は、接合部と山板部軒先側端縁との距離に比べて一般に大きいので、梃子の原理により、接合部と各谷板部の下端面とに作用するそれぞれの応力は、従来例における接合部と山板部軒先側端縁との間に作用する応力に比べて減少し、外力による折板屋根への負荷が軽減される。
【発明を実施するための最良の形態】
【００３０】
以下、本発明に係る実施の形態を実施例に基づいて説明する。
【実施例】
【００３１】
〈構成〉
図２（ａ）において、符号１１は折板屋根、符号１２は軒樋、符号１３は軒樋吊具、符号１４Ｗは本実施例の軒樋吊具用補強部材である。
【００３２】
折板屋根１１は、山板部１１ａと、山板部１１ａの下方に位置する谷板部１１ｂと、山板部１１ａと谷板部１１ｂとの間に延びる傾斜板部１１ｃとを複数有しており、軒先側から見て山形と谷形とを交互に繰り返す形状を呈している。
【００３３】
折板屋根１１は、山板部１１ａと、谷板部１１ｂと、傾斜板部１１ｃとを鋼板を折り曲げることによって形成して、このような鋼板を複数連結することにより形成されている。
【００３４】
図２（ｂ）に示すように、軒樋吊具１３は、軒樋１２の一対の耳部１２ａ，１２ｂを保持する吊具本体１３Ａと、長尺の吊り下げボルト１３Ｂａ、ナット１３Ｂｂ、ワッシャ１３Ｂｃ、鍋型ワッシャ１３Ｂｄ、フェルトワッシャ１３Ｂｅからなる接合部材１３Ｂとによって構成されている。
【００３５】
吊具本体１３Ａは、吊り下げボルト１３Ｂａの下端部に接合されており、両端部に軒樋１２の一対の耳部１２ａ，１２ｂを保持するための一対の保持部１３Ａｂ，１３Ａｃをそれぞれ有している。
【００３６】
山板部１１ａの軒先側端部には、軒樋吊具１３を固定するための穴（図示省略）が数カ所おきに形成されている。
【００３７】
軒樋１２の取り付け施工の際には、吊具本体１３Ａが取り付けられた吊り下げボルト１３Ｂａの上端部を山板部１１ａの穴にそれぞれ下側から貫通させて、山板部１１ａを上下から挟むように吊り下げボルト１３Ｂａに取り付けた一対のナット１３Ｂｂ，１３Ｂｂにより、鍋型ワッシャ１３Ｂｄとフェルトワッシャ１３Ｂｅとを介して上下から締め付ける。
【００３８】
このように、吊り下げボルト１３Ｂａを山板部１１ａに接合している接合部を接合部Ｐとする。
【００３９】
そして、軒樋１２の耳部１２ａ，１２ｂをそれぞれ軒樋吊具１３の保持部１３Ａｂ，１３Ａｃに嵌合させることによって建物の折板屋根１１の軒先部に軒樋１２が固定される。
【００４０】
図３に示すように、本実施例の補強部材１４Ｗは、同一形状を呈する一対の樹脂製の分割部材１４，１４によって構成されており、これらの分割部材１４，１４を４本のタッピングビスＶによって結合したものである。
【００４１】
本実施例の補強部材１４Ｗは、折板屋根１１と軒樋吊具１３とに介在して接合部Ｐでの接合を補強するものである。
【００４２】
分割部材１４には、一対の平板部１４Ａａ，１４Ａｂと、ボルト保持部１４Ｂと、支持部１４Ｃとがそれぞれ一体に設けられている。
【００４３】
一対の平板部１４Ａａ，１４Ａｂは平面視略方形形状を呈しており、補強部材１４Ｗの軒樋吊具１３への装着時には接合部Ｐを有する山板部１１ａ両側の各谷板部１１ｂ下端面にそれぞれ当接される。
【００４４】
そして、これらの平板部１４Ａａ，１４Ａｂの上面には、ブチルゴム製の両面粘着テープＴ，Ｔがそれぞれ貼設されている。
【００４５】
ボルト保持部１４Ｂは平面視略方形形状を呈しており、分割部材１４の一対の平板部１４Ａａ，１４Ａｂの間に、一対の平板部１４Ａａ，１４Ａｂの一方の側端縁と面一かつ一対の平板部１４Ａａ，１４Ａｂに対して垂直に設けられている。
【００４６】
ボルト保持部１４Ｂ，１４Ｂは、一対の分割部材１４，１４を結合することにより吊り下げボルト１３Ｂａを両側から狭持するようになっている。
【００４７】
支持部１４Ｃは側面視略アーチ形状を呈し、一対の平板部１４Ａａ，１４Ａｂの間に架け渡されており、支持部１４Ｃの延びる方向中央位置にはボルト保持部１４Ｂが支持されている。
【００４８】
ボルト保持部１４Ｂには、ボルト保持部１４Ｂの平面視中央位置に一対の平板部１４Ａａ，１４Ａｂに対して垂直方向に伸びるボルト挿通用の溝部Ｓが形成されており、この溝部Ｓは、その延びる方向横断面形状が略台形形状を呈している。
【００４９】
ボルト保持部１４Ｂの平板部１４Ａａ側には一対のタッピング用の小穴１４Ｂａ，１４Ｂａが形成されており、ボルト保持部１４Ｂの平板部１４Ａｂ側には一対のネジ挿通穴１４Ｂｂ，１４Ｂｂが形成されている。
【００５０】
一対の小穴１４Ｂａ，１４Ｂａの径は、タッピングビスＶをねじ込んだ際にタップが立てられるようにタッピングビスＶの径より僅かに小さくなっており、一対のネジ挿通穴１４Ｂｂ，１４Ｂｂの径は、タッピングビスＶが挿通可能なようにタッピングビスＶの径より僅かに大きくなっている。
【００５１】
一対の小穴１４Ｂａ，１４Ｂａの間には、嵌合突起１４Ｂｃが形成されており、一対のネジ挿通穴１４Ｂｂ，１４Ｂｂの間には、嵌合突起１４Ｂｃと嵌合する嵌合凹部１４Ｂｄが形成されている。
【００５２】
平板部１４Ａａのボルト保持部１４Ｂ形成側側端縁には、この側端縁に沿って嵌合溝Ｄが形成され、平板部１４Ａｂのボルト保持部１４Ｂ形成側側端縁には、この側端縁に沿って嵌合溝Ｄに嵌合する嵌合リブＲが形成されている。
【００５３】
本実施例の補強部材１４Ｗは、分割部材１４，１４を４本のタッピングビスＶにより結合すると共に分割部材１４，１４の各ボルト保持部１４Ｂ，１４Ｂによって吊り下げボルト１３Ｂａを両側から狭持することにより、吊り下げボルト１３Ｂａに固定されるようになっている。
【００５４】
分割部材１４，１４同士の結合の際に、嵌合溝Ｄと嵌合リブＲおよび嵌合突起１４Ｂｃと嵌合凹部１４Ｂｄは、それぞれ互いに嵌合するようになっている。
【００５５】
このように、分割部材１４，１４を結合した状態で、各平板部１４Ａａと各平板部１４Ａｂとがそれぞれ結合することによって構成される一対の結合部をそれぞれ当接部１４Ｑ，１４Ｒとする。
【００５６】
当接部１４Ｑ，１４Ｒは、補強部材１４Ｗの軒樋吊具１３への装着時に、接合部Ｐを有する山板部１１ａ両側の各谷板部１１ｂ下端面にそれぞれ当接される。
【００５７】
〈補強部材１４Ｗの取り付け方法〉
まず、分割部材１４，１４を予め２本のタッピングビスＶで仮止めした状態で、分割部材１４，１４の各ボルト保持部１４Ｂ，１４Ｂ間に吊り下げボルト１３Ｂａを挿通させる。
【００５８】
次に、補強部材１４Ｗが下方に滑り落ちない程度に、ドライバー１５により残りの２本のタッピングビスＶを締め付ける。
【００５９】
そして、補強部材１４Ｗに貼設された両面粘着テープＴの剥離紙を剥がして、補強部材１４Ｗの当接部１４Ｑ，１４Ｒが折板屋根１１の谷板部１１ｂ，１１ｂの真下に位置するように回転させて向きを調節する。
【００６０】
そして、図４（ａ）に示すように、補強部材１４Ｗを上に持ち上げて、ボルト保持部１４Ｂを吊り下げボルト１３Ｂａに沿ってスライドさせて、図４（ｂ）に示すように、補強部材１４Ｗの当接部１４Ｑ，１４Ｒをそれぞれ折板屋根１１の谷板部１１ｂ，１１ｂの下端面に圧接させる。
【００６１】
このように、折板屋根１１の谷板部１１ｂ，１１ｂの下端面と、補強部材１４Ｗの当接部１４Ｑ，１４Ｒとをそれぞれ両面粘着テープＴ，Ｔによって接合する。
【００６２】
このような折板屋根１１の谷板部１１ｂ，１１ｂと補強部材１４Ｗの当接部１４Ｑ，１４Ｒとの接合部を、それぞれ接合部Ｑ，Ｒとする。
【００６３】
そして、仮止めされた２本のタッピングビスＶを本締めする。
【００６４】
このとき、分割部材１４，１４の各ボルト保持部１４Ｂ，１４Ｂによって、吊り下げボルト１３Ｂａが狭持され、各ボルト保持部１４Ｂ，１４Ｂを構成している樹脂が吊り下げボルト１３Ｂａのネジ山に食い込み、補強部材１４Ｗが吊り下げボルト１３Ｂａに固定される。
【００６５】
各両面粘着テープＴが折板屋根１１の谷板部１１ｂ，１１ｂに当接しても、なお、補強部材１４Ｗを上に持ち上げて圧接させた状態で仮止めされた２本のタッピングビスＶを本締めすることにより、補強部材１４Ｗの弾性と折板屋根１１の屋根材の弾性との協働作用により、谷板部１１ｂ，１１ｂと補強部材１４Ｗとの間に一層の固定力を与えることができる。
【００６６】
〈補強部材１４Ｗの補強構造〉
本実施例の補強部材１４Ｗは、各一対の平板部１４Ａａ，１４Ａｂ（あるいは、一対の当接部１４Ｑ，１４Ｒ）を各谷板部１１ｂ下端面にそれぞれ当接させた状態で一対の分割部材１４，１４を結合すると共に吊り下げボルト１３Ｂａに固定することによって、軒樋吊具１３を接合部Ｐより下方で支持する。
【００６７】
また、図４（ｂ）に示すように、補強部材１４Ｗを軒樋吊具１３と折板屋根１１とに装着した状態では、軒樋吊具１３は、元々接合されている接合部Ｐ以外に、接合部Ｑ，Ｒで接合され、折板屋根１１に対して接合部Ｐ，Ｑ，Ｒの３カ所で固定される。
【００６８】
このように、補強部材１４Ｗを装着することによって、折板屋根１１と軒樋吊具１３との接合は補強される。
【００６９】
〈作用効果〉
図２（ｂ）に示すように、各一対の平板部１４Ａａ，１４Ａｂを各谷板部１１ｂ下端面にそれぞれ当接させた状態で一対の分割部材１４，１４を結合すると共に吊り下げボルト１３Ｂａに固定することにより軒樋吊具１３を前記接合部Ｐより下方（おおよそ、図中×印の位置）で支持するため、風などにより軒樋１２に作用する外力Ｆによる力のモーメントの軸位置が下方に下がり、等しい外力Ｆが軒樋１２に加わった場合であっても、装着前に比べて軒樋１２と軒樋吊具１３とに作用する力のモーメントが減少し、しかも接合部Ｐに集中していた力が各谷板部１１ｂの下端面にも分散されるので、外力Ｆによる折板屋根１１への負荷を軽減させることができる。
【００７０】
また、折板屋根１１の山板部１１ａと谷板部１１ｂとの高さ方向の距離は、接合部Ｐと山板部１１ａ軒先側端縁との距離に比べて一般に大きいので、梃子の原理により、接合部Ｐと各谷板部１１ｂの下端面とに作用するそれぞれの応力は、従来例における接合部Ｐと山板部１１ａ軒先側端縁との間に作用する応力に比べて減少し、外力Ｆによる折板屋根１１への負荷が軽減される。
【００７１】
そして、本実施例の補強部材１４Ｗは樹脂により形成されているので、吊り下げボルト１３Ｂａを両側から狭圧した際に樹脂の可塑性により吊り下げボルト１３Ｂａのネジ山への食い込みがよく、優れた固定力を発揮する。
【００７２】
さらに、分割部材１４は樹脂製の一体形成品なので製造し易く、量産によって製造コストを抑制することができる。
【００７３】
しかも、一対の分割部材１４，１４が同一形状を呈しているので、製造時に単一形状の分割部材１４，１４を製造すればよく、製造コストを抑制することができる。
【００７４】
そして、分割部材１４では、支持部１４Ｃが側面視略アーチ形状を呈しているので、平板形状とするより大きな強度を得ることができ、しかも、取付施工時に作業者が本発明の補強部材１４Ｗの下側に手を挿入し易いので取り付けの作業性がよい。
【００７５】
また、本実施例の補強部材１４Ｗでは、各当接部１４Ｑ，１４Ｒと各谷板部１１ｂ，１１ｂの下端面とがそれぞれ両面粘着テープＴによって接着されているので、各接合部Ｑ，Ｒにおいて一層強固な固定力を得ることができる。
【００７６】
さらに、一対の分割部材１４，１４が結合時に互いに嵌合する嵌合溝Ｄと嵌合リブＲおよび嵌合突起１４Ｂｃと嵌合凹部１４Ｂｄをそれぞれ有しているので、設置時の組み付けが適正に行われて施工性がよい。
【００７７】
しかも、一対の分割部材１４，１４がずれることなく一体となって応力を受けるので、安定した固定力を得ることができる。
【００７８】
以上、図面を参照して、本発明の最良の実施の形態を詳述してきたが、具体的な構成は、この実施の形態に限らず本発明の要旨を逸脱しない程度の設計的変更は本発明に含まれる。
【００７９】
なお、本実施例では、軒先側から建物に対して吹き付ける強風を外力の原因の一例としてとして述べたが、建物の外壁に吹き付けた風の巻き返しの風によって建物側から軒先に向かって吹く風による外力であっても同様の効果が得られる。
【００８０】
また、外力の原因は風に限るものではない。例えば、屋根への積雪が落雪して軒樋に衝突した際の外力であってもよい。
【００８１】
さらに、本実施例では、接合部Ｑと接合部Ｒとの接合に両面粘着テープを使用したが、接合方法は粘着テープに限るものではない。例えば、接着剤を塗布して接着してもよい。
【００８２】
また、接合部Ｑと接合部Ｒとは当接していればよく、必ずしも接着しなくてもよい。補強部材１４Ｗを上に持ち上げて谷板部１１ｂ，１１ｂに圧接させることにより、ある程度の補強効果を得ることができる。
【図面の簡単な説明】
【００８３】
【図１】従来例の軒樋吊具用補強部材を説明するための図であり、図（ａ）は建物の折板屋根を軒先側から見た部分斜視図、図（ｂ）は図（ａ）のＡ−Ａ断面の断面図で、従来例の軒樋吊具用補強部材を装着した状態で軒樋に強風が吹き付けている場合を示す図である。
【図２】図（ａ）は本実施例の軒樋吊具用補強部材を説明するための斜視図であり、建物の折板屋根を軒先側から見た部分斜視図、図（ｂ）は図（ａ）のＢ−Ｂ断面の断面図である。
【図３】本実施例の軒樋吊具用補強部材の分解斜視図である。
【図４】本実施例の軒樋吊具用補強部材の取り付け方法を説明するための図２（ａ）のＣ矢視方向から見た部分正面図であり、図（ａ）は吊り下げボルトを各ボルト保持部によって狭持後、両面粘着テープの剥離紙を剥離して、軒樋吊具用補強部材の向きを合わせた状態の図、図（ｂ）は本実施例の軒樋吊具用補強部材の装着が完了した状態の図である。
【符号の説明】
【００８４】
１１                    折板屋根
１１ａ                  山板部
１１ｂ                  谷板部
１２                    軒樋
１３                    軒樋吊具
１３Ａ                  吊具本体
１３Ｂａ                吊り下げボルト
１４                    分割部材
１４Ａａ，１４Ａｂ      平板部（当接板部）
１４Ｂ                  ボルト保持部
１４Ｂｃ                嵌合突起（嵌合部）
１４Ｂｄ                嵌合凹部（被嵌合部）
１４Ｃ                  支持部
１４Ｗ                  補強部材（軒樋吊具用補強部材）
Ｄ                      嵌合溝（被嵌合部）
Ｐ                      接合部
Ｒ                      嵌合リブ（嵌合部）
【図１】
2010007252.tif 000003
【図２】
2010007252.tif 000004
【図３】
2010007252.tif 000005
【図４】
2010007252.tif 000006